(57)【要約】      （修正有）【課題】安全且つ簡単な方法でＡＰを介してＷＬＡＮと通信するクライエント装置を設定する機構を提供する。【解決手段】無線アクセスポイント装置と電子装置とを含む。無線アクセスポイント装置は、制御回路と第１メディアポートとを含む。制御回路は、無線アクセスポイント装置を制御するとともに、セキュリティデータを生成するために使用される。第１メディアポートはセキュリティデータを出力するためのものである。電子装置は、第２メディアポートとデータ処理回路とを含む。第２メディアポートが第１メディアポートへ電気的に接続されているときに、電子装置は、第２メディアポートを介して、セキュリティデータを受信する。無線アクセスポイント装置を介して無線ローカルエリアネットワークへ無線でアクセスするために、データ処理回路はセキュリティデータに基づいて電子装置を設定する。【選択図】図２
2007202112.tif 000002
【特許請求の範囲】
【請求項１】
無線アクセスポイント装置を介して無線ローカルエリアネットワークへアクセスする電子装置であって、
メディアデータ用の通常モードとセットアップモードとに於いて選択的に動作可能なメディアポートであって、前記セットアップモードに於いて、前記メディアポートが前記無線アクセスポイント装置へ電気的に接続されているときに、当該電子装置は前記メディアポートを介して前記無線アクセスポイント装置からセキュリティデータを受信し、前記セキュリティデータは、当該電子装置と前記無線アクセスポイント装置との間の認証のための識別子を含むよう構成されたメディアポートと、
前記無線アクセスポイント装置を介して、前記無線ローカルエリアネットワークへ無線でアクセスするように、前記セキュリティデータに基づいて当該電子装置を設定するデータ処理回路と、
を含む、電子装置。
【請求項２】
当該電子装置は、セットアッププログラムを格納するメモリを更に含み、前記データ処理回路は、前記無線アクセスポイント装置を介して前記無線ローカルエリアネットワークへアクセスするために、前記セキュリティデータに基づいて当該電子装置を設定するセットアッププログラムを実行する、ことを特徴とする請求項１に記載の電子装置。
【請求項３】
前記セットアッププログラムは、無線ローカルエリアネットワーククライエントセットアッププログラムであることを特徴とする請求項２に記載の電子装置。
【請求項４】
前記データ処理回路は、前記セットアッププログラムを実行して、前記無線アクセスポイント装置から前記セキュリティデータを受信するために、前記メディアポートを前記無線アクセスポイント装置へ電気的に接続するようにユーザに対して表示することを特徴とする請求項２に記載の電子装置。
【請求項５】
前記データ処理回路は、前記セットアッププログラムを実行して、前記メディアポートが前記無線アクセスポイント装置へ電気的に接続された後、前記無線アクセスポイント装置を起動して前記セキュリティデータを送信して、これにより、当該電子装置が前記無線アクセスポイント装置から前記セキュリティデータを受信するようにすることを、更にユーザに対して表示することを特徴とする請求項４に記載の電子装置。
【請求項６】
前記識別子はサービスセット識別子であることを特徴とする請求項１に記載の電子装置。
【請求項７】
前記セキュリティデータは、前記無線アクセスポイント装置と当該電子装置との間の暗号化データ送信用キーを含むことを特徴とする請求項１に記載の電子装置。
【請求項８】
前記キーは、有線同等プライバシーキーであることを特徴とする請求項７に記載の電子装置。
【請求項９】
前記キーは、ワイ・ファイ・プロテクテッド・アクセスキーであることを特徴とする請求項７に記載の電子装置。
【請求項１０】
前記メディアポートは、伝送回線を介して前記無線アクセスポイント装置に電気的に接続されて、前記セキュリティデータを受信することを特徴とする請求項１に記載の電子装置。
【請求項１１】
前記メディアポートは、前記セキュリティデータが受信された後、前記伝送回線との接続を断たれることを特徴とする請求項１０に記載の電子装置。
【請求項１２】
前記メディアポートはオーディオポートであり、前記伝送回線はオーディオケーブルであることを特徴とする請求項１０に記載の電子装置。
【請求項１３】
前記メディアポートはオーディオポートであることを特徴とする請求項１に記載の電子装置。
【請求項１４】
当該電子装置はオーディオービデオ装置であることを特徴とする請求項１に記載の電子装置。
【請求項１５】
当該電子装置はメディアアダプターであることを特徴とする請求項１に記載の電子装置。
【請求項１６】
当該電子装置は情報家電であることを特徴とする請求項１に記載の電子装置。
【請求項１７】
電子装置を無線ローカルエリアネットワークへ容易にアクセスさせる無線アクセスポイント装置であって、
当該無線アクセスポイント装置を制御するとともに、前記電子装置と当該無線アクセスポイント装置との間の認証のためのセキュリティデータを生成する制御回路と、
メディアポートであって、このメディアポートが前記電子装置に電気的に接続された後、トリガー事象に応答して当該無線アクセスポイント装置が、前記セキュリティデータを前記メディアポートを介して前記電子装置へ送信して、これにより、前記電子装置が、当該無線アクセスポイント装置を介して前記無線ローカルエリアネットワークへ無線でアクセスするように、前記セキュリティデータに基づいて前記電子装置を設定することができるよう構成されたメディアポートと、
を含む、無線アクセスポイント装置。
【請求項１８】
前記トリガー事象に応答して、当該無線アクセスポイント装置を起動して、前記メディアポートを介して前記セキュリティデータを前記電子装置へ送信して、これにより、前記電子装置が、当該無線アクセスポイント装置を介して前記無線ローカルエリアネットワークへ無線でアクセスするように、前記セキュリティデータに基づいて前記電子装置を設定することができるよう構成されたトリガー装置を更に含むことを特徴とする請求項１７に記載の無線アクセスポイント装置。
【請求項１９】
当該無線アクセスポイント装置は、前記トリガー事象を生成させるためにユーザが触れる装置を更に含むことを特徴とする請求項１８に記載の無線アクセスポイント装置。
【請求項２０】
前記セキュリティデータは、サービスセット識別子を含むことを特徴とする請求項１７に記載の無線アクセスポイント装置。
【請求項２１】
前記セキュリティデータは、当該無線アクセスポイント装置と前記電子装置との間の暗号化データ送信用キーを含むことを特徴とする請求項１７に記載の無線アクセスポイント装置。
【請求項２２】
前記キーは、有線同等プライバシーキーであることを特徴とする請求項２１に記載の無線アクセスポイント装置。
【請求項２３】
前記キーは、ワイ・ファイ・プロテクテッド・アクセスキーであることを特徴とする請求項２１に記載の無線アクセスポイント装置。
【請求項２４】
前記メディアポートは、伝送回線を介して前記電子装置に電気的に接続されて前記セキュリティデータを前記電子装置へ送信することを特徴とする請求項１７に記載の無線アクセスポイント装置。
【請求項２５】
前記メディアポートは、前記セキュリティデータが受信された後、前記伝送回線との接続が断たれることを特徴とする請求項２４に記載の無線アクセスポイント装置。
【請求項２６】
前記伝送回線はオーディオケーブルであることを特徴とする請求項２４に記載の無線アクセスポイント装置。
【請求項２７】
前記メディアポートはオーディオポートであることを特徴とする請求項１７に記載の無線アクセスポイント装置。
【請求項２８】
無線アクセスポイント装置を介して無線ローカルエリアネットワークと通信する電子装置を設定する方法であって、
有線接続を行うことにより、前記無線アクセスポイント装置のメディアポートを前記電子装置のメディアポートへ接続するステップと、
前記電子装置をセットアップするデータを要求して前記無線ローカルエリアネットワークと通信するためのトリガー事象を生じさせるステップと、
前記無線アクセスポイント装置と前記電子装置との間の認証のために使用されるセキュリティデータを、前記無線アクセスポイント装置により生成するステップと、
前記トリガー事象に応答して、前記無線アクセスポイント装置の前記メディアポートを介して前記セキュリティデータを送信するステップと、
前記電子装置の前記メディアポートを介して前記セキュリティデータを受信するステップと、
前記無線アクセスポイント装置を介して前記無線ローカルエリアネットワークへ無線でアクセスするために、前記セキュリティデータに基づいて前記電子装置を設定するステップと、
を含む、電子装置を設定する方法。
【請求項２９】
前記セキュリティデータが受信された後、前記有線接続を断つステップを更に含むことを特徴とする請求項２８に記載の方法。
【請求項３０】
前記無線アクセスポイント装置の前記メディアポートと前記電子装置の前記メディアポートとは、それぞれオーディオポートであることを特徴とする請求項２８に記載の方法。
【請求項３１】
前記セキュリティデータはサービスセット識別子を含むことを特徴とする請求項２８に記載の方法。
【請求項３２】
前記セキュリティデータは、前記無線アクセスポイント装置と前記電子装置との間の暗号化データ送信用キーを含むことを特徴とする請求項２８に記載の方法。
【請求項３３】
前記キーは、有線同等プライバシーキーであることを特徴とする請求項３２に記載の方法。
【請求項３４】
前記キーは、ワイ・ファイ・プロテクテッド・アクセスキーであることを特徴とする請求項３２に記載の方法。
【請求項３５】
無線アクセスポイント装置を制御するとともに、セキュリティデータを生成する制御回路と、前記セキュリティデータを出力する第１メディアポートとを含む無線アクセスポイント装置と、
メディアデータ用の通常モードとセットアップモードとに於いて選択的に動作可能な第２メディアポートであって、前記セットアップモードに於いて、前記第２メディアポートが前記第１メディアポートへ電気的に接続されているときに、前記電子装置は、前記無線アクセスポイント装置により生成された前記セキュリティデータを、前記第２メディアポートを介して受信するよう構成された第２メディアポートと、前記電子装置が前記無線アクセスポイント装置を介して前記無線ローカルエリアネットワークへ無線でアクセスするように、前記セキュリティデータに基づいて前記電子装置を設定するするデータ処理回路とを含む電子装置と、を含み、
前記セットアップモードに於いて前記第２メディアポートを前記第１メディアポートへ電気的に接続した後、前記無線アクセスポイント装置は、トリガー事象に応答して、前記第１メディアポートを介して前記電子装置に対して前記セキュリティデータを出力し、
前記セキュリティデータは、前記無線アクセスポイント装置と前記電子装置との間の認証のために識別子を含んでいる、
ことを特徴とする無線ローカルエリアネットワークを設定するシステム。
【請求項３６】
前記無線アクセスポイント装置はトリガー装置を更に含み、このトリガー装置は、前記トリガー事象に応答して、前記無線アクセスポイント装置を起動させて、前記第１メディアポートを介して前記セキュリティデータを前記電子装置へ送信して、これにより、前記電子装置が、前記無線アクセスポイント装置を介して前記無線ローカルエリアネットワークへ無線でアクセスするように、前記セキュリティデータに基づいて前記電子装置を設定することができるよう構成されていることを特徴とする請求項３５に記載のシステム。
【請求項３７】
前記識別子はサービスセット識別子であることを特徴とする請求項３５に記載のシステム。
【請求項３８】
前記セキュリティデータは、前記無線アクセスポイント装置と前記電子装置との間の暗号化データ送信用キーを含むことを特徴とする請求項３５に記載のシステム。
【請求項３９】
前記キーは、有線同等プライバシーキーであることを特徴とする請求項３８に記載のシステム。
【請求項４０】
前記キーは、ワイ・ファイ・プロテクテッド・アクセスキーであることを特徴とする請求項３８に記載のシステム。
【請求項４１】
前記電子装置の前記第２メディアポートは、前記電子装置のオーディオポートであることを特徴とする請求項３５に記載のシステム。
【発明の詳細な説明】
【技術分野】
【０００１】
本発明は一般的に、無線ローカルエリアネットワークと、無線ローカルエリアネットワークを設定する方法とに関し、更に詳しくは、無線ローカルエリアネットワークと通信する電子装置を設定するシステム及び方法に関する。
【背景技術】
【０００２】
図１を参照して、代表的な無線ローカルエリアネットワーク（ＷＬＡＮ）１０の基本構造を示している。無線ローカルエリアネットワーク１０は、ノート型コンピュータ１２０のようなクライエント装置と、無線アクセスポイント（ＡＰ）１１０とを含み、このＡＰ１１０は有線ローカルエリアネットワーク又はインターネット（図示せず）と接続させてもよい。ユーザは、サービスセットＩＤ（ＳＳＩＤ）、有線同等プライバシー（ＷＥＰ）キー、又はワイ・ファイ・プロテクテッド・アクセス（ＷＰＡ）キーのようなセキュリティ情報で、ノート型コンピュータ１２０を設定して、ノート型コンピュータ１２０を、ＡＰ１１０を介してＷＬＡＮ１０へ無線にてアクセスできるようにする必要がある。
【０００３】
ノート型コンピュータ１２０をアクセスポイント１１０を介してＷＬＡＮ１０と通信させる前に、ユーザ認証が特にノート型コンピュータ１２０に対して要求される。一般的に、ユーザ認証には、ノート型コンピュータ１２０が認可されたクライエントであるかどうかを識別するために、ユーザが、例えばＳＳＩＤキー、ＷＥＰキー、又はＷＰＡキーのセキュリティ情報をノート型コンピュータ１２０へ入力することが必要となる。次に、ユーザにより入力されたセキュリティ情報はＡＰ１１０へ送信される。ユーザ認証が完了してユーザが認証されたことが示された後、ＡＰ１１０は、ノート型コンピュータ１２０をＷＬＡＮ１０へアクセスさせることが可能となる。その他の点では、無線ローカルエリアネットワークについての関連情報は、下記特許文献１に開示されている。
【特許文献１】米国特許第6,744,722号明細書
【発明の開示】
【発明が解決しようとする課題】
【０００４】
しかしながら、ユーザ認証の間にセキュリティ情報を入力することは不便である。この不便さのために、例えば無線オーディオ／ビデオ装置のようなクライエント装置は、ユーザが設定して使用することが困難になるおそれがある。その上、ユーザ認証のプロセスの間にセキュリティ情報を入力して送信することは安全ではない。つまり、無線スニフィング（かぎつけ）ツールは、他者の秘密情報を盗もうと意図する者が簡単に入手できるからである。したがって、安全且つ簡単な方法でＡＰを介してＷＬＡＮと通信するクライエント装置を設定する機構を有することが望ましい。
【０００５】
したがって、本発明の目的は、電子装置を設定して、無線アクセスポイント（ＡＰ）を介して無線ローカルエリアネットワーク（ＷＬＡＮ）と通信させるシステム及び方法を提供することにある。電子装置とＡＰとの間に有線接続を行うことにより、電子装置は、自動的にＡＰからＷＬＡＮへアクセスするためのセキュリティデータを入手し、その後、取得したセキュリティデータに基づいてＷＬＡＮへアクセスするよう、電子装置そのものを自動的に設定する。
【課題を解決するための手段】
【０００６】
本発明は、無線アクセスポイント装置を介して無線ローカルエリアネットワークへアクセスする電子装置を提供することにより、上記目的を達成する。この電子装置は、メディアポートとデータ処理回路とを含んでいる。メディアポートは、メディアデータ用の通常モードとセットアップモードとに於いて選択的に動作可能である。セットアップモードに於いてメディアポートが無線アクセスポイント装置に電気的に接続されているときに、電子装置は、メディアポートを介して、無線アクセスポイント装置により生成されたセキュリティデータを示す信号を受信する。セキュリティデータは、電子装置と無線アクセスポイント装置との間で認証のための識別子を含んでいる。データ処理回路は、無線アクセスポイント装置を介して無線ローカルエリアネットワークへ無線でアクセスするように、セキュリティデータに基づいて電子装置を設定するために使用される。
【０００７】
本発明は、電子装置を無線ローカルエリアネットワークへアクセスすることを容易にする無線アクセスポイント装置を提供することにより上記目的を達成する。無線アクセスポイント装置は制御回路とメディアポートとを含んでいる。制御回路は、無線アクセスポイント装置を制御するとともに、電子装置と無線アクセスポイント装置との間の認証用セキュリティデータを生成するために使用される。メディアポートを電子装置へ電気的に接続すると、トリガー事象に応答して、無線アクセスポイント装置が、セキュリティデータを示す信号をメディアポートを介して電子装置へ送信し、これにより、電子装置が、無線アクセスポイント装置を介して無線ローカルエリアネットワークへ無線的にアクセスするように、セキュリティデータに基づいて電子装置を設定することが可能となる。
【０００８】
本発明は、無線アクセスポイント装置を介して無線ローカルエリアネットワークと通信する電子装置を設定する方法を提供することにより上記目的を達成する。本方法は下記工程を含む。無線アクセスポイント装置のメディアポートと電子装置のメディアポートとの間に有線接続を行う。つぎに、トリガー事象を生じさせて、無線ローカルエリアネットワークと通信するために電子装置をセットアップするデータを要求する。無線アクセスポイント装置は、無線アクセスポイント装置と電子装置との間の認証のためにセキュリティデータを生成する。セキュリティデータは、トリガー事象に応答して無線アクセスポイント装置のメディアポートを介して伝送される。次に、セキュリティデータは、電子装置のメディアポートを介して受信される。その後、無線アクセスポイント装置を介して無線ローカルエリアネットワークへ無線でアクセスするために、電子装置は、セキュリティデータに基づいて設定される。
【０００９】
本発明は、無線ローカルエリアネットワークを設定するシステムを提供することにより上記目的を達成する。本システムは無線アクセスポイント装置と電子装置とを含んでいる。無線アクセスポイント装置は制御回路と第１メディアポートとを含んでいる。制御回路は、無線アクセスポイント装置を制御するとともに、セキュリティデータを生成するために使用され、そして、第１メディアポートは、セキュリティデータを示す信号を出力するためのものである。電子装置は、第２メディアポートとデータ処理回路とを含んでいる。第２メディアポートは、メディアデータ用の通常モードと、セットアップモードとに於いて選択的に動作可能である。セットアップモードに於いて第２メディアポートが第１メディアポートへ電気的に接続されているときに、電子装置は、第２メディアポートを介して、セキュリティデータを示す信号を受信する。データ処理回路は、無線アクセスポイント装置を介して、無線ローカルエリアネットワークへ無線でアクセスするために、セキュリティデータに基づキー電子装置を設定する。セットアップモードに於いて、第２メディアポートを第１メディアポートへ電気的に接続した後、無線アクセスポイント装置はトリガー事象に応答して、第１メディアポートを介して電子装置へセキュリティデータを出力する。
【００１０】
本発明の他の目的、特徴、利点は、非限定的な好ましい実施形態についての下記詳細な説明から明らかになろう。下記の説明は、添付図面を参照してなされる。
【発明を実施するための最良の形態】
【００１１】
本発明の実施形態に於いて、電子装置は、電子装置をアクセスポイント（ＡＰ）へ、好ましくは一時的に、電気的に接続することにより、アクセスポイント（ＡＰ）からセキュリティ情報を取得した後に、無線ローカルエリアネットワーク（ＷＬＡＮ）へアクセスするように当該電子装置を自動的にセットアップすることが可能である。この方法により、ＡＰを介してＷＬＡＮと通信するように電子装置を設定する簡単なシステム及び方法が得られるとともに、ＷＬＡＮへアクセスする電子装置を設定するためにセキュリティと認証とに関連する種々の複雑なパラメータを手動で入力することをユーザへ要求する不都合を回避できる。
【００１２】
図２に於いて、本発明の好ましい実施形態に係る、ＡＰを介してＷＬＡＮと通信する電子装置を設定するシステムを、ブロック図に示している。ＷＬＡＮ２０はＡＰ２１０と電子装置２２０とを含んでいる。ＡＰ２１０は、トリガー装置２１６と、制御回路２１４とメディアポート２１２とを含んでいる。制御回路２１４は、ＡＰ２１０を制御するとともに、ＡＰ２１０及び電子装置２２０を識別（同定）するためのセキュリティ情報Ｄを生成するために使用される。トリガー装置２１６は、メディアポート２１２により電子装置２２０へセキュリティデータＤを示す信号を出力するために、トリガー事象（イベント）に応答してＡＰ２１０を起動させるために使用される。例えば、トリガー事象は、ユーザによる行動に関して生成される。例えば、ＡＰ２１０は、トリガー事象を生成するために、ボタン、キー、又はタッチパッドのようなユーザが触れる装置を含んでいる。１つの例に於いて、ボタンがＡＰ２１０に設けられ、ユーザはトリガー事象を生成するためにこのボタンを押圧する。
【００１３】
電子装置２２０はデータを処理する装置であり、そして、オーディオ−ビデオ装置、コンピュータシステム、携帯情報端末（ＰＤＡ）、メディアアダプタ、又は情報家電のような無線クライエントとして設定されることが出来る。上記無線クライエントは、ＷＬＡＮアクセス用内蔵回路を含んでいてもよいし、又はＷＬＡＮアダプターを備えている。電子装置２２０は、メディアポート２２２とデータ処理回路２２４とを含んでいる。電子装置２２０のメディアポート２２２は、伝送回線２３０を介してＡＰ２１０のメディアポート２１２に結合されることが出来、これにより、電子装置２２０は、メディアポート２２２を介してセキュリティデータＤを表示する信号を受信する。電子装置２２０がセキュリティデータＤを表示する信号を完全に受信した後、例えば、ユーザが電子装置２２０と共に自由に移動できるように、伝送回線２３０を、電子装置２２０のメディアポート２２２及びＡＰ２１０のメディアポート２１２から接続を断つことが好ましい。次に、受信したセキュリティデータＤと、ＷＬＡＮクライエントとして電子装置２２０を設定するためのセットアッププログラムとに基づキー、データ処理回路２２４は電子装置２２０を設定する。電子装置２２０は、セットアッププログラムを格納するメモリを含んでいてもよい。ＷＬＡＮへアクセスするように電子装置２２０の設定が完了すると、電子装置２２０は、ＡＰ２１０を介してＷＬＡＮと無線で通信することが出来る。
【００１４】
メディアポート２１２とメディアポート２２２とは、１つの装置を他の装置とリンクさせるハードウエア及び関連回路を含むユニットである。例えば、メディアポートは、アナログ又はデジタル信号を送受信するオーディオポート、ビデオポート、ユニバーサルシリアルバス（ＵＳＢ）、ゲームポート、補助ポートとして実施することが出来る。電子装置が無線ローカルエリアネットワークと通信するようセットアップされたとき、又は、セットアップモードの間、電子装置２２０のメディアポート２２２は、セキュリティデータを示す信号を受信するために使用される。セットアップが完了した後、オーディオポートのようなメディアポート２２２は、オーディオデータを示すオーディオ信号のようなメディアデータ指示信号を受信又は出力するために通常モードで動作することが出来る。即ち、メディアポート２２２は、選択的に通常モードかセットアップモードで動作可能である。メディアポート２２２は、通常モードに於ける、オーディオデータ、画像データ、ビデオデータのようなメディアデータのために設けられている。他方、ＡＰ２１０のメディアポート２１２は、例えば、メディアポート２２２と同じように、種々のモードで動作可能である。更に、ＡＰ２１０のメディアポート２１２は、無線ローカルエリアネットワークへの通信のセットアップのために、ＡＰ２１０に接続されているクライエント装置へ、セキュリティデータＤを伝送するための専用ポートとしても使用することができる。
【００１５】
図３は、本発明の好ましい実施形態に係る、アクセスポイントを介して無線ローカルエリアネットワークと通信する電子装置を設定する方法のフローチャートである。本方法は、図２のシステム２０のような本発明に係る、ＡＰを介してＷＬＡＮと通信する電子装置を設定するためのシステムに於いて使用されるものである。本方法は、ステップ３１０に示すように、ＡＰ２１０のメディアポート２１２を、電子装置２２０のメディアポート２２４へ電気的に接続する工程を含む。ステップ３１５に於いて、ＡＰへ接続されたクライエント装置、即ち電子装置をセットアップするためにセキュリティデータを要求することを示すトリガー事象が生成される。トリガー事象は、例えば、ユーザがＡＰのキー又はボタンを押圧することにより発生させることが出来る。ステップ３２０に於いて、ＡＰ２１０はセキュリティデータＤを生成する。ステップ３３０に於いて、ＡＰ２１０はトリガー事象に応答して、ＡＰ２１０のメディアポート２１２を介してセキュリティデータＤを表示する信号を伝送する。ステップ３４０に於いて、電子装置２２０は、電子装置２２０のメディアポート２２２を介して信号を受信する。このようにして、電子装置２２０は、受信信号により示されたセキュリティデータを取得する。この後、電子装置２２０は、ＡＰ２１０を介してＷＬＡＮへ無線でアクセスするために、取得したセキュリティデータに基づいて、自身の設定を行う。
【００１６】
１つの例に於いて、ＡＰ２１０のメディアポート２１２と、電子装置２２０のメディアポート２２２とがオーディオポートである場合、伝送回線２３０はオーディオケーブルである。電子装置２２０がＡＰ２１０を介してＷＬＡＮと通信するように設定されていると、ＷＬＡＮクライエント用セットアッププログラムが、メッセージウインドウを生成して、ユーザに対してＡＰ２１０のメディアポート２１２を電子装置２２０のメディアポート２２２へ接続するオーディオケーブルを使用するように指示する表示を行う。オーディオケーブルが適切に接続された後、他のメッセージウインドウが表示されて、例えばユーザに対して、ＡＰ２１０に設けられたボタン、キー、又はタッチ応答式装置を押圧することによって、トリガー装置２１６を起動するよう指示する表示を行う。
【００１７】
トリガー装置２１６が起動された後，ＡＰ２１０はセキュリティデータＤを生成するとともに、セキュリティデータＤを表示する信号をオーディオケーブルを介して電子装置２２０へ送信する。信号が受信された後、又は、電子装置の設定が成功した後、例えば、ユーザに対して、オーディオケーブルを、メディアポート２１２及びメディアポート２２２から接続を断つよう指示するメッセージウインドウが表示される。他の例に於いて、セットアッププログラムが含まれている場合に、セキュリティデータＤを表示する信号を電子装置２２０へ送信するようにするために、オーディオケーブルをメディアポート２１２とメディアポート２２２とへ結合することを、トリガー装置２１６を起動させる事象として機能させることが出来る。更に他の例に於いて、ＡＰ２１０は、トリガー事象が生じる前に、セキュリティデータＤを生成することも出来る。例えば、ＡＰ２１０がリセットされた場合、ＡＰ２１０は、セキュリティデータＤを含むインフラストラクチャモードに必要なパラメータ全てを自動的にセットアップすることが出来る。
【００１８】
電子装置２２０は、オーディオケーブルを介して受信された信号に基づいて、セキュリティデータＤを取得し、そして、ＷＬＡＮクライエントセットアッププログラムは、取得されたセキュリティデータに基づいてＷＬＡＮへアクセスするように電子装置２２０を設定する。特に、ＡＰ２１０により送信された信号はプロトコル又は規格に適合している。例えば、ＲＳ-２３２信号プロトコルは、セキュリティデータの伝送に於いて安全性を確かなものにするために低い通信速度で動作するよう構成されることが出来、そして、チェックサム又はＣＲＣコードのようなエラー処理スキームを使用することができる。電子装置２２０を無線クライエントとして完全に設定した後、電子装置２２０は、ＡＰ２１０を介してＷＬＡＮと通信することが出来る。
【００１９】
ＡＰ２１０により生成されるセキュリティデータＤは、ＳＳＩＤ（サービスセット識別子）やセキュリティキーのような認証及び／又は暗号化に於いて使用されるデータである。ＩＥＥＥ８０２．１Ｘシリーズ規格に基づき、ＳＳＩＤは、認証用、及び、１つのＷＬＡＮの他のＷＬＡＮからの識別用に使用される。特定のＷＬＡＮへ接続するよう構成された全てのアクセスポイントと全ての装置とは、同一のＳＳＩＤを使用していなければならない。ＷＥＰ（有線同等プライバシー）キー、ＷＰＡ（ワイ・ファイ・プロテクテッド・アクセス）キー、又はＩＥＥＥ８０２．１１iに於いて提案されているその他のキーのようなセキュリティキーを、異なるレベルのセキュリティを備えたデータ暗号化に使用して、電子装置２２０とＡＰ２１０との間に安全な無線送信を提供する。ＷＬＡＮクライエントセットアッププログラムは、ＳＳＩＤ、ＷＥＰ、ＷＰＡキーのようなセキュリティデータを使用して、ＡＰ２１０を介して、ＷＬＡＮへ無線でアクセスするように電子装置２２０を設定する。
【００２０】
１つの例として、電子装置２２０は、ＩＥＥＥ８０２．１Ｘ規格に準拠したオーディオ−ビデオシステムサポートＷＬＡＮであり、そして、オーディオとビデオとを提供するメディアサーバを、ＡＰ２１０につながれたＷＬＡＮへ接続する。上記実施形態に於いて図示したように設定した後、無線オーディオ−ビデオシステムは、メディアサーバへ無線でアクセスすることができ、再生される映画や歌のファイル又はデータストリームを受信することができる。ユーザは、ＷＬＡＮアクセスのために種々のパラメータを手動で入力する必要はない。
【００２１】
上記に開示したように、ＷＬＡＮと通信する電子装置を設定するシステム及び方法は下記の利点を有する。
まず、ＡＰにより発生されたセキュリティデータをクライエント装置へ送信するために有線接続が使用されるため、無線クライエント装置のセットアップの間、セキュリティデータの無線スニフィングを回避できる。
【００２２】
次に、無線クライエント装置を設定し、使用することは簡単である。セキュリティデータはＡＰにより自動的に生成され、設定用クライエント装置への伝送が可能であり、クライエント装置側でセキュリティデータを手動で入力する必要がない。ユーザは、単純かつ簡単な方法で、ＷＬＡＮへアクセスするクライエント装置を設定することが出来る
本発明は、例示の目的で好ましい実施形態について説明を行ってキーたが、本発明は上記説明に限定されるものではないことは理解されよう。反対に、本発明は、種々の変更、並びに類似の構成及び手順をも包含するものであり、したがって、添付の特許請求の範囲が最も広い解釈として認められるべきであり、これにより、このような全ての変更、並びに類似の構成及び手順も、本発明に包含されるものである。
【図面の簡単な説明】
【００２３】
【図１】代表的な無線ローカルエリアネットワーク（従来技術）を示す。
【図２】本発明の好ましい実施形態に係る、アクセスポイントを介して無線ローカルエリアネットワークと通信する電子装置を設定するシステムを示す。
【図３】本発明の好ましい実施形態に係る、アクセスポイントを介して無線ローカルエリアネットワークと通信する電子装置を設定する方法のフローチャートを示す。
【図１】
2007202112.tif 000003
【図２】
2007202112.tif 000004
【図３】
2007202112.tif 000005